(57)【要約】【課題】強度の向上等、高性能化を図ること。【解決手段】下地材２の上に固定する固定部材４と、該固定部材４の上部に取り付けられ、屋根板３の伸縮に伴って前後方向に摺動可能な摺動部材５とを有し、これらを長孔２２ｂ，１９ｄと軸部材１７とで連結した屋根板支持具１であって、上記摺動部材５を、屋根板係止用の係止部１９ａを上端に有した係止具１９を取り付け可能で、左右方向で対向する垂直な対向面部２２を有した摺動金具５ａを用いて構成し、該摺動金具５ａには、上記対向面部２２同士を近接する方向に締め付ける締結具２３を設け、上記対向面部２２に、上記長孔２２ｂを形成した屋根板支持具１。【選択図】    図２
2004278024.tif 000002
【特許請求の範囲】
【請求項１】
下地材の上に固定する固定部材と、該固定部材の上部に取り付けられ、屋根板の伸縮に伴って前後方向に摺動可能な摺動部材とを有し、これらを長孔と軸部材とで連結した屋根板支持具であって、
上記摺動部材を、屋根板係止用の係止部を上端に有した係止具を取り付け可能で、左右方向で対向する垂直な対向面部を有した摺動金具を用いて構成し、
該摺動金具には、上記対向面部同士を近接する方向に締め付ける締結具を設け、上記対向面部に、上記長孔を形成した
屋根板支持具。
【請求項２】
前記固定部材における前記摺動部材取り付け位置よりも下に、左右方向で対向する一対の対向部を設け、
これら対向部間に、隙間を形成し、
該隙間には、固定部材の固定時に下地材に対して接地する中脚部材を垂設した
請求項１に記載の屋根板支持具。
【請求項３】
前記固定部材と摺動部材との間の摺動面には、摩擦抵抗の低減または摺動動作の規制のための介装部材を介装した
請求項１または２に記載の屋根板支持具。
【発明の詳細な説明】
【０００１】
【発明の属する技術分野】
この発明は、金属製の屋根板を固定するのに用いる屋根板支持具に関し、より詳しくは、熱により屋根板が伸縮しても、その伸縮に対応して動いて速やかに歪を吸収できるようにするような屋根板支持具に関する。
【０００２】
【従来の技術】
このような屋根板支持具として、下地材の上に固定した固定部材の上部に、屋根板を係止する摺動部材を摺動可能に取り付けた屋根板支持具を案出した（特許文献１参照）。
【０００３】
この屋根板支持具は、固定部材と摺動部材を、長孔と、該長孔内を相対摺動する軸部材とで連結した構成であり、摺動部材が前後方向に摺動して屋根板にかかる歪を取り除くという所望の作用・効果を達成するものであった。
【０００４】
ところで上記屋根板支持具は、屋根板を係止するための摺動部材に、薄い金属板からなる吊子を用いており、主として吊子のみを摺動させる構造である。吊子は屋根板を係止することの関係上、１ｍｍ前後の薄い金属板で形成しているので、上記発明では、強度を持たせるために折り返して二重にするなどして用いることを開示した。
【０００５】
しかし、吊子には、屋根に負圧が掛かったときに上へ引っ張られる力が掛かり、このとき吊子は、二重にしたりして補強してはいるものの、基本的に単体であり、強度の点で改良の余地があった。
【０００６】
【特許文献１】
特開２０００−１１０３０７号公報。
【０００７】
【発明が解決しようとする課題】
そこでこの発明は、強度をより高めることができるような屋根板支持具の提供を主たる課題とする。
【０００８】
【課題を解決するための手段】
そのための手段は、下地材の上に固定する固定部材と、該固定部材の上部に取り付けられ、屋根板の伸縮に伴って前後方向に摺動可能な摺動部材とを有し、これらを長孔と軸部材とで連結した屋根板支持具であって、上記摺動部材を、屋根板係止用の係止部を上端に有した係止具を取り付け可能で、左右方向で対向する垂直な対向面部を有した摺動金具を用いて構成し、該摺動金具には、上記対向面部同士を近接する方向に締め付ける締結具を設け、上記対向面部に、上記長孔を形成した屋根板支持具であることを特徴とする。
【０００９】
上記締結具としてはボルトナットやリベットを用いることができる。
【００１０】
すなわち上記構成によれば、屋根板を係止する係止具は摺動部材とともに、屋根の伸縮に伴って前後方向に摺動する。このとき、摺動部材を構成する摺動金具の垂直な対向面部は、締結具によって近接方向に締め付けられており、長孔を形成する部分の肉厚が増すとともに、単に重合した状態よりも硬い一体の状態である。このため強度が高く、長孔の変形もないので、円滑に摺動する。
【００１１】
上記摺動金具は、相対向する一対の部材からなるも、相対向する部位（対向面部）を有するひとつの部材からなるものでもよく、係止具は、摺動金具の内側に挟み込むも、摺動金具に沿わせて取り付けるも、いずれでもよい。
【００１２】
前記固定部材には、当該固定部材における前記摺動部材取り付け位置よりも下に、左右方向で対向する一対の対向部を設け、これら対向部間に、隙間を形成し、該隙間に、固定部材の固定時に下地材に対して接地する中脚部材を垂設するもよい。下地材に対する固定時には、この中脚部材の下端を、溶接等により下地材に固定する。
【００１３】
対向部間に隙間を形成して、その対向部から固定時の接地部分を形成すると、固定部材の接地部分の間隔を広く取ることができ、取り付け状態の安定性が増すとともに、中脚部材が、その安定性をさらに向上する。また、多数並べて使用した屋根板支持具の摺動部材が摺動するときには、摺動部材に摺動を起こさせる力の掛かり方が必ずしも一様ではなく、各屋根板支持具ごとにばらつきが発生することが考えられるが、このときに、すべての屋根板支持具で摺動部材円滑な摺動が行えるとも限らず、ガタガタと摺動する恐れがある。このときに、中脚部材が接地によりその振動を抑えて、より円滑な振動を可能にする。
【００１４】
前記固定部材と摺動部材との間の摺動面には、摩擦抵抗を低減するための、または摺動動作の規制のための介装部材を介装するとよい。介装部材が摩擦抵抗を低減し、あるいは摺動動作を規制して、よりよい摺動動作を行わせる。
【００１５】
【発明の効果】
以上のように、この発明によれば、摺動動作する摺動部材は、垂直な対向面部を締結具で近接方向に締め付けているので、厚みが増すとともに、締め付けられた各部分が密に接触して一体性が高められた状態であり、摺動のために軸部材と摺接する長孔の強度が高い。このため、負圧によって長孔が変形することを抑制することができて、長期間にわたって円滑な摺動が可能な屋根板支持具を得られる。また、一体性が高いため摺動部材の摺動時に摺動部材の各部に歪が発生しにくく、摺動動作が円滑である。
【００１６】
固定部材の摺動部材取り付け位置よりも下に、相互間に隙間を有する対向部を設けているので、この対向部から固定時に下地材に接触する接地部分を形成すると、接地部分の間隔を広く取ることができ、取り付け状態の安定性が増し、固定強度が高い。また、上記隙間には、下地材に対して接地する中脚部材を垂設したので、その固定状態をさらに高めることができるとともに、摺動部材が摺動するときの固定部材の微振動を抑えることもできる。このため、固定状態をより良好にでき、摺動時の音をなくすことができる。
【００１７】
固定部材と摺動部材との間の摺動面に、介装部材を介装すると、所望の円滑な摺動動作が期待できる。
【００１８】
【考案の実施の形態】
この発明の一実施の形態を、以下図面を用いて説明する。
（第１の実施の形態）
図１は、屋根板支持具１（以下、支持具という）の斜視図であり、この支持具１は、例えば図２に示したように、Ｈ鋼等のような下地材２の上に固定し、屋根板３を支持させる。その屋根板３は、金属製であるので、熱によって伸縮する。この伸縮による歪を吸収するため、支持具１における屋根板３を係止している部分が、図１に矢印で示した如く前後方向に摺動するように構成している。
【００１９】
支持具１は、図３の分解斜視図に示したように、左右一対の固定金具４ａを有する固定部材４と、この固定部材４の上部に保持された状態で前後方向に摺動する摺動部材５とからなる。
【００２０】
上記各固定金具４ａは、同形で、帯状の金属板を折曲してなる。下端には、固定時に設置する水平な固定片６を設け、この固定片６の内側の端からは、上方に立ち上がる立ち上がり部７を設け、立ち上がり部７の上端に、内側へ凹む縦断面コ字形の保持部８を連設して構成している。
【００２１】
上記立ち上がり部７は、固定金具４ａ同士を組んだときに、適宜の隙間９を介して対向するもので、上下方向の適宜位置に、貫通孔１０を形成している。この貫通孔１０は、中脚部材１１を取り付けるためのピン部材１２を固定するためのものである。すなわち、ピン部材１２の両端部には、貫通孔１０に挿通可能な軸部１２ａを有し、この軸部１２ａを貫通孔１０に対する挿通後にかしめることによって固定する。
【００２２】
またピン部材１２の長さ方向の中間位置には、固定部材４の固定時に接地する板状の上記中脚部材１１を保持する。中脚部材１１は、下方が幅広の三角形状で、上端部に上記ピン部材１２の中間部に対して挿嵌する大きさの取付け孔１１ａを有している。挿嵌状態は、ガタつかないように、きつい状態であるのが好ましいが、手で回動可能である堅さの方がより好ましい。
【００２３】
中脚部材１１の下端は、下地材２に対する接地片１１ｂであって、その長さは、固定金具４ａの固定片６の前後方向の幅よりも長く設定する。そして上記取付け孔１１ａより下であって接地片１１ｂより上の位置には、適宜大のぬすみ孔１１ｃを形成している。軽量化を図ることができるとともに、音の発生や伝達を抑制することができる。
【００２４】
上記保持部８は、摺動部材５を上下方向に分離付加に組み込むためのもので、上端の水平な片は、摺動部材の上部を受ける受け片１３、下端の水平な片は摺動部材５が上方へ抜けるのを阻止する規制片１４である。また、受け片１３と規制片１４を連結するのは、垂直な垂直片１５である。この垂直片１５の中央部には、摺動部材５を取り付けるための角形の貫通孔１６を形成している。
【００２５】
この貫通孔１６には、図４に示したように、貫通孔１６に嵌合して回り止めがなされる根角部１７ａと、摺動部材５と摺接する軸本体部１７ｂと、雄ねじ部１７ｃとを、根元側から順に有した段付きのボルト１７を挿通する。上記軸本体部１７ｂの長さは、摺動部材５の対応部分の厚みを考慮して設定され、ナット１８できつく締めても、摺動部材が摺動可能な状態となる長さに設定する。
【００２６】
摺動部材５は、左右一対の同形の摺動金具５ａと、屋根板係止用の吊子１９とからなる。摺動金具５ａは、上記固定金具４ａの保持部８に内側から被さる大きさの縦断面コ字形で、上端に、上記固定金具４ａの受け片１３の上側に位置して屋根板３を受ける屋根板受け片２０を、下端には、上記固定金具４ａの規制片１４の下側に位置する突片２１を設け、これらを垂直な挟圧面２２で連結している。
【００２７】
これら３つの部位からなる摺動金具５ａは、前後方向への摺動を可能とするため、固定金具４ａよりも幅広である。幅は、必要な摺動長さに応じて適宜設定すればよい。
【００２８】
そして、挟圧面２２の両端部には、リベット止め用の貫通孔２２ａを形成し、これら貫通孔２２ａ間には長孔２２ｂを形成している。長孔２２ｂの径は、上記ボルト１７の軸本体部１７ｂと相対摺動可能な大きさである。
【００２９】
図中２０ａは、位置決めのための目印で、屋根板受け片の前後方向の中間位置に形成した切り欠きである。
【００３０】
吊子１９は、上端に屋根板係止用の係止部１９ａを有し、その下端から垂下片１９ｂを垂設した形状で、上記各金具４ａ，５ａを構成する金属板よりも薄い金属板で形成している。垂下片１９ｂには、貫通孔１９ｃと長孔１９ｄとを、上記摺動金具５ａのそれらと対応させて形成している。
【００３１】
左右一対の固定金具４ａからなる固定部材４はピン部材１２で一体化し、左右一対の摺動金具５ａと吊子１９からなる摺動部材５はリベット２３で一体化する。そして摺動部材５を、固定部材４の保持部８に挟まれるように組み付けてから、ボルト１７ナット１８で固定する。
【００３２】
使用に際しては、図２に示したように、固定部材４の固定片６と中脚部材１１の接地片１１ｂとに溶接を行い、下地材２に対して固定する。このとき、下地材２に描いた墨だし線に固定部材４の中脚部材１１をあわせれば、芯出しができる。そして、屋根板３を一方から順に固定してゆくが、屋根板３を吊子１９の係止部１９ａに係止するときに、吊子１９、すなわち摺動部材５の前後方向の中間位置が固定部材４の前後方向の中間位置と合致するように位置あわせを行う。これは摺動部材５の屋根板受け片２０に形成した目印が、ボルト１７の中心の真上に位置するように摺動部材５を移動させれば簡単に行える。
【００３３】
このようにして屋根板３を取り付けた屋根では、屋根板３が熱により伸縮すると、屋根板３が摺動部材５を押したり引いたりする力を生む。この力を受けて摺動部材５の長孔２２ｂ，１９ｄは、ボルト１７の軸本体部１７ｂと相対摺動して、すなわち摺動部材５を摺動させて、屋根板３に溜まる歪を素早く吸収する。このため、屋根板３が音を立てるようなことを防止できる。
【００３４】
また、固定部材４は左右２つの固定片６とこれらの間の中脚部材１１とで固定しているので、強固な固定が可能である。たとえ摺動部材５の摺動時に微振動があってもそれによってガタついたりしない。このため静かで円滑な摺動が期待できる。
【００３５】
なお図１から図４では、吊子１９として、係止部が丸型の丸ハゼタイプのものを示したが、角ハゼタイプの係止部を持つ吊子を使用するもよい。この場合には、屋根板３の係止時に摺動金具５を固定金具４に対して組み込んで、固定を行う。
【００３６】
（その他の実施の形態）
以下、他の例を説明する。上記説明と同一または類似の構成については、同一の符号を付して詳しい説明を省略する。
【００３７】
図５に示した支持具１は、固定部材４の上端部、すなわち固定金具４ａの受け片１３と、摺動部材５の下端部、すなわち摺動金具５ａの突片２１とを上へ凸の緩やかな円弧状に形成した例を示している。このように形成することにより、摺動部材５を屋根の勾配に対応して傾斜することができ、綺麗で迅速な屋根形成ができる。
【００３８】
図６、図７は、固定部材４と摺動部材５との間の摺動面に、摩擦抵抗を低減するための介装部材２４を介装した例を示している。すなわち、固定部材４の保持部８に、内側から介装部材２４を被着し、摺動部材５と固定部材４との直接の接触を断つ構成である。
【００３９】
介装部材は合成樹脂からなり、図６の断面図に示したように、固定金具４ａの保持部８に内側から被さる縦断面コ字形である。すなわち上端の水平な第１介装片２５と、下端の水平な第２介装片２６と、これらを垂直に連結する第３介装片２７とをする。第３介装片２７の中央には、ボルト１７の軸本体部１７ｂを挿通可能な貫通孔２７ａを形成している。なお、図６では摺動部材５を、部位の区別明確化のため便宜的に仮想線で表現している。
【００４０】
また、前後方向の幅は図７の側面図に示したように、固定金具４ａの幅よりも若干広く形成し、第１介装片２５と第２介装片２６と第３介装片２７の内側面の両側部に、位置規制用の突状２７ｂを形成して固定金具４ａとの一体性を高めるように形成している。
【００４１】
このように構成すると、摺動部材５の摺動が音もなく軽く、円滑に行えるようになる。
【００４２】
図８、図９は、固定部材４と摺動部材５との間の摺動面に、摩擦抵抗を低減し、耐摩耗性を高め、円滑な摺動を行わせるための介装部材２４を介装した例を示している。すなわち、固定部材４の保持部８に、内側から介装部材２４を被着し、固定部材４の保持部８および摺動部材５を保護する構成である。
【００４３】
介装部材２４は固定部材４などよりは薄い金属板で形成する。好ましくは、固定金具４ａや摺動金具５ａとは異種の金属、例えばステンレスなどの平滑性を有する金属板が好ましい。そして、図８の断面図に示したように、固定金具４ａの保持部８に内側から被さる縦断面コ字形である。すなわち上端の水平な第１介装片２５と、下端の水平な第２介装片２６と、これらを垂直に連結する第３介装片２７とを有する。第３介装片２７の中央には、ボルト１７の軸本体部１７ｂを挿通可能な貫通孔２７ａを形成している。図８でも、部位の区別の明確化のため便宜的に摺動部材５を仮想線で表現している。
【００４４】
また、前後方向の幅は図９側面図に示したように、固定金具４ａの幅よりも広く、摺動金具５ａの幅よりも狭く設定し、第３介装片２７の両側部には、リベット２３の移動を許容するぬすみ溝２７ｃを形成し、ぬすみ溝２７ｃの基部に、固定金具４ａを挟みこむような、位置規制用の立ち上げ片２８を形成している。
【００４５】
このように構成すると、介装部材２４の存在により固定金具４ａの保持部８の強度が高まる上に、固定金具４ａよりも長く形成した介装部材２４が摺動のためのガイドとなることにより摺動部材の摺動が円滑に行え、耐磨耗性も良好で、長期間にわたって良好な摺動が可能な耐久性の高い支持具となる。
【００４６】
なお、これら図６乃至図９で説明した支持具１の場合でも、所定部分を円弧状に湾曲して形成し、摺動部材５を傾動可能にするもよい。
【００４７】
図１０は、固定部材４を、摺動部材取り付け位置、すなわち保持部８よりも下に左右方向で対向する一対の立ち上がり部７（対向部）を有したひとつの固定金具４ｂで構成した例を示している。中脚部材１１の下端には、固定金具４ｂの下端の固定片６当たる部分を切りかいて、下地材２に設置するように形成している。
【００４８】
先の各例のように固定部材４を左右一対の２部材で構成する場合よりも、部品点数が少なくてすむ。
【００４９】
図１１の支持具１は、いわゆるタイフレームのように、複数の屋根板係止部分、すなわち摺動部材５を左右方向に所定間隔を隔てて併設した構成のものである。すなわち、固定部材４を、略直角三角形状の山部２９を複数有する第１固定金具４ｃと、この第１固定金具４ｃの山部２９に沿わせて取り付ける第２固定金具４ｄとで構成している。
【００５０】
第１固定金具４ｃは、一本の帯状の金属板を折曲して形成したもので、下地材２に固定するため水平に伸びる固定片６と、上記山部２９とを順に形成している。山部２９は、垂直に立ち上がる立ち上がり部７と、この立ち上がり部７の上端から水平に延びる受け片１３と、この受け片１３から斜めに下がる傾斜片３０とからなる。そして上記立ち上がり部７は、上端部の一定部分よりも下の部分を、傾斜片３０側に引っ込めるようにＬ字状に折曲して形成している。上記上端部の一定部分は、摺動部材を保持するための保持部８であり、第１の実施の形態で説明したのと同様に、上記受け片１３の下に、垂直片１５および規制片１４を順に連設している。
【００５１】
第２固定金具４ｄは、上記第１固定金具４ｃの立ち上がり部７および保持部８の部分と同一の形状を有し、下端には、第１固定金具４ｃの固定片６の上に重なり合って固定する重合固定片３１を形成している。この重合固定片３１の左右両端に対応する第１固定金具４ｃの固定片６部分には、重合固定片３１の左右方向での位置決めを行う上へ凸の突部３２を形成している。
【００５２】
摺動部材５は、第１の実施の形態の場合と同一であり、一組の挟持金具５ａと吊子１９、リベット２３で一体化している。
【００５３】
但し、図１２に示したように、この例では、固定部材４に対する摺動部材５の摺動可能な固定を、ナット１８を用いないでボルト１７の螺合のみによって行っている。これは、第１固定金具４ｃに傾斜片３０を形成したためであり、すなわち、第１固定金具４ｃの保持部８には、ボルト１７の雄ねじ部１７ｃが螺合するねじ孔３３を形成している。そしてボルト１７の軸本体部１７ｂの長さを、ボルト１７を第２固定金具４ｄ側から螺合したときに、軸本体部１７ｂの先端面が、第１固定金具４ｃに当接して、摺動部材５を摺動可能に保持する所定の間隔になるように設定している。
【００５４】
なお、図１２に仮想線で示したように、中脚部材１１を設けるもよい。このとき、中脚部材１１の下端には、第１固定部材４ｃの固定片６対応位置に、ぬすみを形成して、前後の両端部が下地材２接地するように構成し、その接地した部分にも溶接を行う。
【００５５】
図１３は、摺動金具５の変形例を示しており、図中（ａ）は、屋根板受け片２０を上へ向けてコ字状に折曲して形成し、図中（ｂ）は、下へ向けてコ字状に折曲して形成している。このように形成することで、重心を低くすることができ、固定部材４の固定片６に掛かる荷重を低減して、より安定的な摺動が期待できる。
【００５６】
図１４は、摺動部材５の変形例を示し、摺動部材５は、吊子１９を摺動金具５ｂ，５ｃ間に挟み込まないで一体化する。
【００５７】
すなわち、摺動部材５は、先の例のように縦断面コ字形の金具である摺動金具５ｂ，５ｃからなり、高さの高い第１摺動金具５ｂと、それよりも高さの低い第２摺動金具５ｃとをリベット２３を用いて重合し、第２摺動金具５ｃの上端の水平片３４に、図１５に示したように、ボルト３５ナット３６で吊子１９を固定する。
【００５８】
吊子１９は、上端に係止部１９ｄを有した縦断面Ｌ字型に形成し、下端の水平な固定部１９ｅに、貫通孔１９ｆを形成している。固定に際しては、方形状の当て板を上記固定部１９ｅの上に重合する。
【００５９】
このように構成した支持具１では、先の例では摺動部材５全体を交換しなければ、屋根板３の係止部の形状の違いに対応できなかったが、吊子１９の交換のみで、丸ハゼ用に、角ハゼ用にと、容易に変更できる。
【００６０】
図１６は、図１４および図１５の例とは、吊子１９の取り付け方を変えた例を示しており、第１摺動金具５ｂの垂直な挟圧面２２と吊子１９の垂下片１９ｂに長孔２２ｂ，１９ｄを形成して、吊子１９を横から取り付けられるようにしている。このとき、固定部材４の上記長孔２２ｂ，１９ｄ対応位置の貫通孔１６に雌ねじを形成しておく一方、ボルト１７の根元部分に雄ねじ１７ｄを形成しておくと、ボルト１７は、固定部材４に一体の状態であるので、屋根板３の係止時に取り付けを行う必要のある角ハゼ型の吊子であっても施工作業が容易である。
【００６１】
図１７は、固定部材４に対する摺動部材５の組み付け方の他の例を示し、この支持具１では、図１８に示したように、摺動部材５は、組み立てた固定部材４に対し上からでも組み付けることができる。
【００６２】
すなわち、固定部材４は、左右一対の固定金具４ａからなり、固定金具４ａは、下端の固定片６から上へ立ち上がる立ち上がり部７と、この立ち上がり部７の上端部に形成され、摺動部材５を摺動可能に保持する保持部８とを有する。そして、この保持部８と立ち上がり部７との間には接合部３９を介在させる。接合部３９は、固定金具４ａ同士を組み合わせた時に相互に接合する部位で、立ち上がり部７や係止部８よりも内側に凹ますように縦断面コ字形に形成している。一組の各固定金具４ａは、上記接合部３９にリベット３９ａ止めを行うことで一体化する。
【００６３】
上記保持部８は、固定金具４ａ同士を一体化したときに正面視Ｕ字状をなす形であり、上端には摺動部材５を受ける受け片１３を形成している。
【００６４】
保持部８の垂直な垂直片１５の中央には、角形の貫通孔１６を形成し、ボルト１７を挿通可能にしている。
【００６５】
摺動部材５は、左右一対の摺動金具５ａと、これらに挟み込まれて一体化する吊子１９とかならなり、下端には上記保持部内に収まる長さの水平な突片２１を有し、突片２１から上へ垂直に挟圧面２２を連設し、この挟持圧面２２の上端からは、上記固定金具４ａの受け片１３の上に位置する屋根板受け片２０を連設している。
【００６６】
上記挟圧面２２の上端部であって屋根板受け片２０の基部には、Ｌ字状に凹む規制部４０を形成する。この規制部４０は、図１９に示したように、固定金具４ａの保持部８の内側面に沿うもので、摺動姿勢を安定させる役割を果たすが、もちろん、図１８に仮想線で示したように、規制部４０を形成せずともよい。
【００６７】
また摺動金具５ａの挟圧面２２と吊子の垂下片１９ｂには、長孔２２ｂ，１９ｄを形成し、この長孔２２ｂ，１９ｄには、介装部材４１を取り付ける。この介装部材４１は、断面長円形で、左右方向の幅は、図１９に示したように、固定部材４の保持部８の垂直片１５間に対応する寸法である。
【００６８】
摺動部材５の組み付けは、根角部１７ａと軸本体部１７ｂと雄ねじ１７ｃとを有したボルト１７及びナット１８を用いて行う。
【００６９】
なお、上記介装部材４１は、図２０に示したように断面円形に形成したものであるもよい。このように形成して、その長さを適宜設定すれば、ボルト１７に軸本体部１７ｂを形成する必要性をなくすことができ、通状のボルトを使用できる。上述した各例においても同様である。
【００７０】
図２１も、固定部材４に対する摺動部材５の組み付け方の他の例を示し、この支持具１でも、摺動部材５は、組み立てた固定部材４に対し上からでも組み付けることができる。
【００７１】
固定部材４は、先の図１１に示したような山部２９を有する第１固定金具４ｃと、これに沿わせて取り付ける第２固定金具４ｄとからなり、各固定金具４ｃ，４ｄの上端部に形成する保持部８を、各固定金具４ｂ，４ｃの接合時に、上記図１９に示した如く正面視Ｕ状になるように形成している。そして、第１固定金具４ｃの保持部８の垂直片１５には角形の貫通孔１６を、第２固定金具４ｄの保持部８の垂直片１５には丸形の貫通孔１６を形成する。
【００７２】
摺動部材５は、１つの摺動金具５ｄと、この摺動金具５ｄに一体化する吊子１９とからなる。吊子１９は、上記接合状態の固定部材４の保持部８に入る大きさの突片１９ｅを下端に有した正面視Ｌ字状をなす形状である。摺動金５は、この吊子１９の突片１９ｅと垂下片１９ｂとを覆うように折曲し、上端に屋根板受け片２０を有した形状である。これらはリベット２３で一体化している。
【００７３】
摺動部材５、すなわち摺動金具５ｄと吊子１９とにおける各固定金具４ｂ，４ｃの貫通孔１６に対応する部位には、前後方向に長い長孔２２ｂ，１９ｄを形成し、ボルト１７ナット１８を用いて組み付けを行う。
【００７４】
組み付けに際しては、図２２、図２３に示したように、摺動部材５の下端の突片部４２の上側に位置する規制介装部材４３を介在させる。規制介装部材４３は、正面視コ字型で、前後方向の両端部に、第２固定金具４ｄの両側縁に係合する係合片４４を突設して、第２固定金具４ｃに対する位置決めを行っている。垂直な垂直面４５片の中心には、ボルト１７の軸本体部を挿通する貫通孔４６を形成する。
【００７５】
この規制介装部材４３は、適宜の金属板で構成するも、合成樹脂材で構成するもよい。平滑性を有する金属板で形成したり合成樹脂で形成したりすれば、より円滑な摺動動作も期待できる。
【００７６】
介装することにより、規制介装部材４３の下端部４７と垂直な垂直面４５とが、摺動部材５の姿勢が正しくなるように規制する。
【００７７】
なお、この例の場合も、図２４に示したように、各部材の適宜部位を円弧状に形成することで、摺動部材５が屋根の勾配に対応して傾動することを可能にできる。図示例では、固定部材４の保持部８の上下両端、すなわち保持部８の受け片１３と保持部８下端の下片部４８とを上へ凸に湾曲した。
【００７８】
また、図２５に示したように、固定金具４ｂ，４ｃ同士の下部に、相互に離間した対向部４９を形成して、中脚部材１１を取り付けることもできる。
【００７９】
この例では、タイトフレーム状に連設構造の例を説明したが、単独構造のものであるもよい。
【００８０】
この発明における軸部材は、上記構成におけるボルト１７に対応し、
以下同様に、
係止具は、吊子１９に対応し、
対向面部は、挟圧面２２に対応し、
摺動金具は、摺動金具５ａ，５ｄ、第１摺動金具５ｂ、第２摺動金具５ｃに対応し、
締結具は、リベット２３に対応し、
摺動部材取り付け位置は、保持部８に対応し、
対向部は、立ち上がり部７、対向部４９に対応し、
介装部材は、介装部材２４，４１、規制介装部材４２に対応するも、この発明は、上記構成のみに限定されるものではない。
【図面の簡単な説明】
【図１】屋根板支持具の斜視図。
【図２】屋根板支持具を用いた屋根構造の断面図。
【図３】屋根板支持具の分解斜視図。
【図４】要部の断面図。
【図５】屋根板支持具の要部の側面図。
【図６】屋根板支持具の要部断面図。
【図７】図６の側面図。
【図８】屋根板支持具の要部断面図。
【図９】図８の側面図。
【図１０】屋根板支持具の斜視図。
【図１１】屋根板支持具の正面図。
【図１２】屋根板支持具の一部断面正面図。
【図１３】摺動金具の他の例を示す断面図。
【図１４】屋根板支持具の斜視図。
【図１５】図１４の要部の断面図。
【図１６】要部の断面図。
【図１７】屋根板支持具の斜視図。
【図１８】屋根板支持具の分解斜視図。
【図１９】屋根板支持具の一部断面正面図。
【図２０】介装部材の他の例を示す斜視図。
【図２１】屋根板支持具の正面図。
【図２２】屋根板支持具の要部斜視図。
【図２３】屋根板支持具の一部断面正面図。
【図２４】屋根板支持具の側面図。
【図２５】屋根板支持具の一部断面正面図。
【符号の説明】
１…屋根板支持具
２…下地材
３…屋根板
４…固定部材
４ａ，４ｂ…固定金具
４ｃ…第１固定金具
４ｄ…第２固定金具
５…摺動部材
５ａ，５ｄ…摺動金具
５ｂ…第１摺動金具
５ｃ…第２摺動金具
７…立ち上がり部
８…保持部
９…隙間
１１…中脚部材
１７…ボルト
１９…吊子
１９ａ…係止部
１９ｄ…長孔
２２…挟圧面
２２ｂ…長孔
２３…リベット
２４，４１…介装部材
４３…規制介装部材
４９…対向部
【図１】
2004278024.tif 000003
【図２】
2004278024.tif 000004
【図３】
2004278024.tif 000005
【図４】
2004278024.tif 000006
【図５】
2004278024.tif 000007
【図６】
2004278024.tif 000008
【図７】
2004278024.tif 000009
【図８】
2004278024.tif 000010
【図９】
2004278024.tif 000011
【図１０】
2004278024.tif 000012
【図１１】
2004278024.tif 000013
【図１２】
2004278024.tif 000014
【図１３】
2004278024.tif 000015
【図１４】
2004278024.tif 000016
【図１５】
2004278024.tif 000017
【図１６】
2004278024.tif 000018
【図１７】
2004278024.tif 000019
【図１８】
2004278024.tif 000020
【図１９】
2004278024.tif 000021
【図２０】
2004278024.tif 000022
【図２１】
2004278024.tif 000023
【図２２】
2004278024.tif 000024
【図２３】
2004278024.tif 000025
【図２４】
2004278024.tif 000026
【図２５】
2004278024.tif 000027